(57)【要約】　　　（修正有）【課題】起動中のソフトに対し、計測データを即、自動入力及び行変え等が出来るようにする。【解決手段】デジタルパネルメータ等の数値データを、キーボード用ＩＣを使って、１０ＫＥＹを電子的にＳＷする電子回路を設け、リタンキーや矢印キー等も加えて、キーボードデータ形式で出力する。（仮称キーボート叩き役代行機能）【選択図】図１
0003099833.tif 000002
【実用新案登録請求の範囲】
【請求項１】
デジタルパネルメータの計測数値データをキーボード端子のポートデータに変換して、リタンキー等の制御キーデータと共に、起動中の表計算等のソフトへ、キーボード端子を経て数値を直接入力させる。
【請求項２】
デジタル数値データをインポートとし、キーボード数値信号及び、リタンキー、矢印キー等制御信号とセットでキーボード端子へ出力される（仮称キーボード叩き役代行）ＩＣを作成して、測定器類の数値データをリアルタイムでの、起動中の表計算ソフトへの入力を可能にする。
【考案の詳細な説明】
【０００１】
考案が解決しようとする課題
従来、デジタルパネルメータ等の数値データをパソコンに取り込む方法としてＲＣ−２３２Ｃ端子が用いられているが、起動中の表計算ソフト等に計測データを簡便な取り込みが出来なく、他のソフトを介したり、ＫＥＹを手打ちしていた。
【０００２】
【課題を解決するための手段】
デジタルパネルメータ等の２進化１０進法等の数値データを、キーボード用ＩＣの当該数値ＫＥＹを電子的に打ち込むＳＷ’データに変換する電子回路を設け、リタンキーや矢印キー等の制御ＫＥＹ操作を付け加えた、キーボート端子への数値出力データをハード的に構築する。（仮称キーボート叩き役代行機能）
【０００３】
【考案の効果】
起動中のソフトに対し、計測データを即、自動入力及び行変え等が出来る。
ソフトの種類を問わない為、幅広い応用が期待できる。
【０００４】
【図面の簡単な説明】
【図１】計測器であるデジタルパネルメータ等の計測出力ＢＣＤデータ等をデータ変換して、キーボートＩＣ端子をＯＮ−ＫＥＹさせるＳＷ信号を作り、ＩＣ端子に入力して、作られたキーボードＩＣの出力信号がパソコンへ伝送される流れを示すものです。
【図２】各種計測器から出力されるバイナリー又はＢＣＤデータをインポートとし、数値データを伝送するキーボード信号に変換出力するＩＣによって、データがパソコンへ伝送される流れを示すものです。
【図１】
0003099833.tif 000003
【図２】
0003099833.tif 000004
【手続補正書】
【提出日】平成15年5月12日(2003.5.12)
【手続補正１】
【補正対象書類名】明細書
【補正対象項目名】請求項１
【補正方法】変更
【補正の内容】
【請求項１】
デジタルデータをパソコンのキーボードのポートデータに変換して、リタンキー等の制御キーデータと共に、キーボード端子等を経て、直接、起動中の表計算等のソフトに入力（キーボードの手打ち操作をハード的に代行）する機能を有する機器及び部品
【手続補正２】
【補正対象書類名】明細書
【補正対象項目名】請求項２
【補正方法】削除
【補正の内容】
【手続補正３】
【補正対象書類名】明細書
【補正対象項目名】０００１
【補正方法】変更
【補正の内容】
【０００１】
考案が解決しようとする課題
従来、デジタルパネルメータ等の数値データをパソコンに取り込む方法としてＲＳ−２３２Ｃ端子が用いられているが、起動中の表計算ソフト等に計測データを簡便な取り込みが出来なく、他のソフトを介したり、ＫＥＹを手打ちしていた。


【手続補正４】
【補正対象書類名】明細書
【補正対象項目名】０００２
【補正方法】変更
【補正の内容】
【０００２】
課題を解決するための手段
デジタルパネルメータ等の２進化１０進法等の数値データを、キーボード用ＩＣの当該数値ＫＥＹを電子的に打ち込むＳＷデータに変換する電子回路を設け、リタンキーや矢印キー等の制御ＫＥＹ操作を付け加えた、キーボード端子への数値出力データをハード的に構築する。（仮称キーボード叩き役代行機能）


【手続補正５】
【補正対象書類名】明細書
【補正対象項目名】０００４
【補正方法】変更
【補正の内容】
【図面の簡単な説明】
【図１】計測器であるデジタルパネルメータ等の計測出力ＢＣＤデータ等をデータ変換して、キーボードＩＣ端子をＯＮ−ＫＥＹさせるＳＷ信号を作り、ＩＣ端子に入力して、作られたキーボードＩＣの出力信号がパソコンへ伝送される流れを示すものです。
【図２】各種計測器から出力されるバイナリー又はＢＣＤデータをインポートとし、数値データを伝送するキーボード信号に変換出力するＩＣによって、データがパソコンへ伝送される流れを示すものです。


【手続補正７】
【補正対象書類名】明細書
【補正対象項目名】図１、図２
【補正方法】変更
【補正の内容】
【図】
0003099833.tif 000005
【図】
0003099833.tif 000006
【手続補正書】
【提出日】平成15年6月13日(2003.6.13)
【手続補正１】
【補正対象書類名】明細書
【補正対象項目名】実用新案登録請求の範囲
【補正方法】変更
【補正の内容】
【実用新案登録請求の範囲】
【請求項１】
デジタルパネルメータ等の出力デジタルデータを、電子回路を用いてパソコンのキーボードを打鍵可能なＳＷデータに変換するデータ変換器を作成し、キーボード用ＩＣと組み合わせて、パソコンのキーボード信号を自動的に作り出す構造
【手続補正２】
【補正対象書類名】明細書
【補正対象項目名】０００３
【補正方法】変更
【補正の内容】
【０００３】
【考案の効果】
１　起動中の表計算や、ワープロソフトに対し、計測データを即、全自動で入力し、作表が可能である。
２　各種計測機器の他、バーコードやカード読み取り器、タイムレコーダー等への応用も可能である。
３　パソコンへのデータ入力専用ソフトが不要である。


【手続補正３】
【補正対象書類名】明細書
【補正対象項目名】図面の簡単な説明
【補正方法】変更
【補正の内容】
【図面の簡単な説明】
デジタルパネルメータの出力データが３桁で、小数点が下１桁にある場合を想定したデータ変換器の構造と、キーボードＩＣとの組み合わせ方法を含めた請求項全体の構造図です。
▲１▼は、デジタルマルチメータの３桁あるＢＣＤデータと小数点の出力で、▲２▼は、上位の桁から下の桁の順序で桁切り替えゲートがＩＣ　７４ＨＣ２４１に加えられて、ＢＣＤデータが１桁毎に選択されて次のＩＣ１４０２８に送られる事を示すものです。▲３▼は、ＩＣ　１４０２８によってそのシリアルＢＣＤデータを変換、１Ｏ進化されて各々のキーに向けて分配、▲４▼は、フォトカプラーによって、パソコンと絶縁状態で２次側にＳＷ機能を設け、▲５▼は、キーボードＩＣの数値等、各々のキー端子です。また、キーボードに数値データが送られた後には、リタンキー、矢印キーの順序で必要な制御キーデータも付加される様になっています。


【手続補正４】
【補正対象書類名】図面
【補正対象項目名】全図
【補正方法】変更
【補正の内容】
【図１】
0003099833.tif 000007
【手続補正書】
【提出日】平成15年8月27日(2003.8.27)
【手続補正１】
【補正対象書類名】明細書
【補正対象項目名】実用新案登録請求の範囲
【補正方法】変更
【補正の内容】
【実用新案登録請求の範囲】
【請求項１】
デジタルパネルメータ等の出力デジタルデータを、電子回路を用いてパソコンのキーボードを打鍵可能なＳＷデータに変換するデータ変換器とキーボードＩＣよりなる、パソコンのキーボード信号を自動的に作り出す構造